(57)【要約】【課題】優れた防災機能を有する防災机を提供する。【解決手段】防災机１は、天板２と、天板２を支える複数本の脚３ｓ，３ｓとを有する。脚３ｓは、少なくとも二本の縦材１６と、少なくとも二本の横材１７とを閉じた枠状に接合して両側に開口が形成されるようにした脚フレーム１１と、その脚フレーム１１の前記開口の外側を塞ぐ外板１２と、脚フレーム１１の前記開口の内側を塞ぐ開閉可能な蓋体１３と、脚３ｓを建物の床１４に固定する床連結部１５とを備えており、外板１２と蓋体１３とで覆われた脚フレーム１１の内部空間２３に防災用品２４を収納してなる。この防災机は、床連結部を介して床に固定されているため建物が揺れても動かない。よってしっかりと掴まって身の安全を図ることができる。また建物が崩れて礫に埋まり防災机の下に閉じ込められたとしても、内部空間に収納された防災用品によって救助される確率を高め得る。【選択図】        図５
2017119044.tif 000002
【特許請求の範囲】
【請求項１】
天板と、
その天板を支える複数本の脚と、を有する防災机であって、
前記脚は、
少なくとも二本の縦材と、少なくとも二本の横材とを閉じた枠状に接合して両側に開口が形成されるようにした脚フレームと、
その脚フレームの前記開口の外側を塞ぐ外板と、
前記脚フレームの前記開口の内側を塞ぐ開閉可能な蓋体と、
前記脚を建物の床に固定する床連結部と、を備えており、
前記外板と前記蓋体とで覆われた前記脚フレームの内部空間に防災用品を収納してなることを特徴とする防災机。
【請求項２】
前記脚フレームに避難者が掴まるための握り部を設けたことを特徴とする請求項１記載の防災机。
【請求項３】
前記天板下方の前記脚で囲まれた机下領域を照らし得る照明手段を備え、自己に設けた災害センサー又は外部に設けた災害センサーで災害発生を検知して前記照明手段で前記机下領域を照らすようにしたことを特徴とする請求項１又は２に記載の防災机。
【請求項４】
前記天板又は脚の建物室内に向かう面に光で発電する光電池を設けると共にその光電池で発電された電気を蓄電するバッテリーを設けてなることを特徴とする請求項１乃至３の何れか１項に記載の防災机。
【請求項５】
前記防災用品は、笛、鈴、ライター、携帯照明、携帯ラジオ、バッテリー、飲料水、非常食（箸、スプーン、フォークその他の飲食用具を含む。）、スリッパ、体用保温シート、軍手、簡易トイレ、雨具、医薬品、防火頭巾、ヘルメットのうちの少なくとも何れか一つであることを特徴とする請求項１乃至４の何れか１項に記載の防災机。
【発明の詳細な説明】
【技術分野】
【０００１】
本発明は、天板と、その天板の下面に設けられた脚と、を有する机に関し、特に災害への備えに優れた防災机に関する。
【背景技術】
【０００２】
従来より食事用の机や学習用の机の下は、頑丈な天板と脚で囲われた比較的安全な空間であるとされており、地震発生時の緊急避難場所として利用される。
そして、このような机の防災機能に着目し、その機能を高めるようにした防災机が多数開発されている。例えば、特許文献１の防災机は、天板の下面中央につかまり棒を設けたものであり、机の下に避難してつかまり棒に掴まることで投げ出されないように身体を固定し、その状態で揺れが収まるのを待つようにしている。
【先行技術文献】
【特許文献】
【０００３】
【特許文献１】特開平８−３２２６４６号公報
【発明の概要】
【発明が解決しようとする課題】
【０００４】
地震により建物が激しく揺れると、家具や冷蔵庫が床の上を滑るように移動する。特許文献１の防災机も例外ではなく、つかまり棒につかまった避難者ごと床の上で動き回るおそれがあり、その勢いで避難者が机の外に投げ出される危険性がある。特に特許文献１の防災机は、机の中心にある一本のつかまり棒目掛けて避難者が集中するため、避難者同士の頭部が衝突したり、或は満足に掴めない避難者が発生して机の外に投げ出される危険性が増す。
また、仮に防災机から投げ出されずに済んだとしても、もし建物が崩れて防災机が瓦礫に埋まり、その防災机に避難者が閉じ込められた場合には、声や音を発して救助を待つ位しか打つ手がない。
【０００５】
本発明は上記に鑑みなされたもので、その目的は、優れた防災機能を有する防災机を提供することにある。
【課題を解決するための手段】
【０００６】
上記の目的を達成するため本発明は、
天板と、
その天板を支える複数本の脚と、を有する防災机であって、
前記脚は、
少なくとも二本の縦材と、少なくとも二本の横材とを閉じた枠状に接合して両側に開口が形成されるようにした脚フレームと、
その脚フレームの前記開口の外側を塞ぐ外板と、
前記脚フレームの前記開口の内側を塞ぐ開閉可能な蓋体と、
前記脚を建物の床に固定する床連結部と、を備えており、
前記外板と前記蓋体とで覆われた前記脚フレームの内部空間に防災用品を収納してなる防災机を提供する。
【０００７】
また、請求項２に記載したように、前記脚フレームに避難者が掴まるための握り部を設けた請求項１記載の防災机を提供する。
また、請求項３に記載したように、前記天板下方の前記脚で囲まれた机下領域を照らし得る照明手段を備え、自己に設けた災害センサー又は外部に設けた災害センサーで災害発生を検知して前記照明手段で前記机下領域を照らすようにした請求項１又は２に記載の防災机を提供する。
また、請求項４に記載したように、前記天板又は脚の建物室内に向かう面に光で発電する光電池を設けると共にその光電池で発電された電気を蓄電するバッテリーを設けてなる請求項１乃至３の何れか１項に記載の防災机を提供する。
また、請求項５に記載したように、前記防災用品は、笛、鈴、ライター、携帯照明、携帯ラジオ、バッテリー、飲料水、非常食（箸、スプーン、フォークその他の飲食用具を含む。）、スリッパ、体用保温シート、軍手、簡易トイレ、雨具、医薬品、防火頭巾、ヘルメットのうちの少なくとも何れか一つである請求項１乃至４の何れか１項に記載の防災机を提供する。
【発明の効果】
【０００８】
本発明の防災机は、脚が床連結部を介して建物の床に固定されていて建物と一体になっているため、地震により建物が激しく揺れてもその場から動かない。したがって、避難者がしっかりと掴まり、揺れが収まるまで身の安全を図ることができる。また、仮に建物が崩れて防災机が瓦礫に埋まり、その防災机の下に避難者が閉じ込められたとしても、脚フレームの内部空間に収納された防災用品によって救助される確率を高めることができる。
【０００９】
また、請求項２に記載の防災机によれば、床に固定された脚フレームに握り部を介してしっかり掴まることができるため、激しい揺れにも耐えやすい。また、避難者が天板の端に位置する脚に向かうため、複数の避難者が机下領域の中央に集中するおそれが殆どない。したがって、避難者同士の頭部が衝突する危険が少なく、また、全ての避難者が確実に握り部に掴まりやすい。
また、請求項３に記載の防災机によれば、災害発生時に防災机の机下領域が照明手段で明るく照らされるため、災害と同時に停電が発生して室内が真っ暗になっても素早く安全な机下領域に避難することができる。
また、請求項４に記載の防災机によれば、バッテリーを設けると共に光電池で発電した電気をそのバッテリーに蓄電するようにしたため、災害時に必要な電気を防災机から供給（例えば携帯端末等への充電）することができる。
また、請求項５の防災机によれば、脚フレームの内部空間に、笛、鈴、ライター、携帯照明、携帯ラジオ、バッテリー、飲料水、非常食（箸、スプーン、フォークその他の飲食用具を含む。）、スリッパ、体用保温シート、軍手、簡易トイレ、雨具、医薬品、防火頭巾、ヘルメットのうちの少なくとも何れか一つを収納したため、災害時に救助される確率を高めることができる。
【図面の簡単な説明】
【００１０】
【図１】防災机の正面図である。
【図２】防災机の平面図である。
【図３】図１のＸ−Ｘ線断面図である。
【図４】下から見上げた状態を示す防災机の斜視図である。
【図５】蓋体を開いた状態を示す図４の要部拡大斜視図である。
【図６】要部を示す中央縦断面図である。
【図７】他の形態を示す防災机の縦断側面図である。
【発明を実施するための形態】
【００１１】
以下に本発明の実施の形態を図面を参照しつつ説明する。
防災机１は、いわゆるダイニングテーブルであって、天板２と、その天板２を支える複数本（実施形態では左右二本と中央の一本）の脚３ｓ，３ｓ，３ｃと、避難者が掴まるための握り部４と、からなる。
【００１２】
［天板］
天板２は、長手寸法が約２３００ｍｍ、短手寸法が約１１００ｍｍ、板厚が約６０ｍｍの矩形の木板であり、その下面両横と中央に三本の短手梁５，５，５とそれと直交する両横に二本の長手梁６，６が補強用に固着されている。
この天板２の上面、すなわち建物室内に向かう面には、図２と図６に示したように光で発電する光電池７が埋設され、一方、天板２の下面側にはその光電池７で発電された電気を蓄電するためのバッテリー８が設けられている。
また、天板２下面（脚３ｓ，３ｓの上部でもよい。）には、脚３ｓ，３ｓの間の机下領域９を照らし得る照明手段１０（例えばＬＥＤライト）が取り付けられており、その照明手段１０内に組み込んだ図示しない災害センサー（実施形態では地震センサー）で災害（地震）の発生を検知して前記照明手段１０で机下領域９を照らすようになっている。
これにより災害発生時に停電して室内が真っ暗になったとしても、明るく照らされた机下領域９に導かれるようにして安全且つ迅速に避難することができる。
なお、バッテリー８と照明手段１０は、外部電源に接続して蓄電及び点灯するように形成し、停電時に照明手段１０の電源がバッテリー８に切り替わるようにしてもよい。
【００１３】
［脚］
実施形態の脚３ｓ，３ｓ，３ｃは、前記のように左右の二本と中央の一本とからなる。
左右の脚３ｓ，３ｓは、天板２両側の前記短手梁５，５に夫々取り付けられている。なお、左右の脚３ｓ，３ｓは、天板２の中央に対して位置、形状共に対称になっているため、説明の便宜上一方の脚３ｓについて説明する。
【００１４】
［両横の脚］
脚３ｓは、両側が開口する閉じた枠状（環状）の脚フレーム１１と、その脚フレーム１１の開口の外側を塞ぐ固定的な外板１２と、脚フレーム１１の開口の内側を塞ぐ開閉可能な蓋体１３と、脚３ｓを建物の床１４に固定する床連結部１５と、からなる。
【００１５】
［脚フレーム］
前記脚フレーム１１は、一辺が約１２０ｍｍの木製の角材で形成される二本の縦材１６，１６と、その縦材１６，１６の上端に接合された前記短手梁５と、同じく縦材１６，１６の下端に接合された下の横材１７と、からなる。なお、この脚フレーム１１の短手梁５は、天板２自体によって代用することもできる。
【００１６】
［外板］
脚フレーム１１の開口の外側を塞ぐ前記外板１２は、木製の板であって、脚フレーム１１の開口内周に形成された溝１８に固定的に嵌め込まれている。
【００１７】
［蓋体］
脚フレーム１１の開口の内側を塞ぐ前記蓋体１３は、上の短手梁５の下面に刻設された下向きの深溝１９と、下の横材１７の上面に刻設された上向きの浅溝２０とに上下摺動可能に嵌め込まれており、蓋体１３の底辺が浅溝２０の底に当たり且つ蓋体１３の上辺が深溝１９に浅く掛かっている状態で脚フレーム１１の開口を閉じている。
また、かかる閉じ状態にある蓋体１３は、その上辺と深溝１９の奥端との間に引き上げ代となる空間２１が設けられていて手で持ち上げることができ、最も持ち上げた状態で底辺が前記浅溝２０から外れ、そのまま図５又は図３二点鎖線のように手前に引き出せる。
このように蓋体１３は、浅溝２０と深溝１９に嵌めた状態で上げ下げすることにより脚フレーム１１に対して着脱することができる。
なお、図４、図５において符合２２は、蓋体１３を上下や前後に動かして着脱操作をするための指掛孔である。
【００１８】
ここまでの説明で明らかなように脚３ｓには、脚フレーム１１の内部に外板１２と蓋体１３で覆われた内部空間２３が形成されており、その内部空間２３に防災用品２４が収納されている。
防災用品２４は、笛、鈴、ブザー、ライター、携帯照明、携帯ラジオ、バッテリー（乾電池）、飲料水、非常食（箸、スプーン、フォーク、缶切り等の飲食用具を含む。）、スリッパ、体用保温シート、軍手、簡易トイレ、雨具、絆創膏や消毒薬などの医薬品、防火頭巾、ヘルメットの一つ又は複数の組み合わせであればよい。
例えば、電力に依らないで呼気又は手動で音を出すことができる（つまり電池切れ等によるトラブルがない）笛又は鈴、数日分の飲料水、数日分の非常食を基本セットとし、必要に応じて、絆創膏と消毒薬を備えた応急手当用の医薬品、手動式発電機付きのブザーとラジオを備えた携帯照明、を備えるとよい。また、これらにアルミシート等の体用保温シートを付加しておけば、冬期の寒さにも耐えることができ、さらに瓦礫をかき分ける際に手を保護する軍手と、瓦礫の上を移動する際に足を保護するスリッパと、を付加しておけば、自力で脱出して避難する際に有用である。
なお、図５、図６において符合２３ｔは、内部空間２３に設けられた着脱及び高さ調節可能な棚板である。
【００１９】
［床連結部］
脚３ｓを建物の床１４に固定する前記床連結部１５は、Ｌ字形の金具であって、Ｌ字の垂直側が下の横材１７の内面側にネジ止めされ、一方、Ｌ字の水平側が建物の床１４に木ネジ２５で止められる。
【００２０】
［中央の脚］
中央の脚３ｃは、天板２下面の中央の短手梁５にその上端が取り付けられており、下端が建物の床１４に当接し且つその床１４に前記床連結部１５と同じ構造の床連結部２６で止められている。この中央の脚３ｃは、天板２の中央を補強して瓦礫の重さを支える支柱であり、もちろん避難者が掴まるためのつかまり棒としても機能し得る。
【００２１】
［握り部］
避難者が掴まるための握り部４は、前記脚フレーム１１を構成する二本の縦材１６，１６の一方に机下領域９に向けて縦向き手摺り状に取り付けられている。この握り部４は、左右の脚フレーム１１，１１の夫々に設けられており、天板２の長手辺の一方を前、他方を後としたとき、一方の脚フレーム１１に対して前側の縦材１６に、他方の脚フレーム１１に対して後側の縦材１６に固着されている。このように二つの握り部４を二つの脚３ｓ，３ｓの前後に位置を違えて配置することにより、天板２の前後どちら側からでも素早く且つ避難者同士がぶつかることなく掴まることができる。
【００２２】
実施形態の防災机１は、以上のように構成されているため、建物のダイニングルームの床１４に床連結部１５，２６でしっかりと固定する。これにより防災机１は、地震で建物が揺れても床の上を暴走車のごとくに動き回るおそれがなく、防災机１自体が凶器と化するおそれがない。また、地震発生後直ちに防災机１の下、すなわち天板２下方の脚３ｓ，３ｓで囲まれた机下領域９に避難し、そこで握り部４につかまっていれば、建物が激しく揺れても机下領域９から投げ出されるおそれがなく、上からの落下物や床１４を行き交う家具等から身を守ることができる。なお、地震発生直後に照明手段１０内に組み込んだ図示しない地震センサーで地震の発生が検知され、直ちに照明手段１０で机下領域９が照らされるため、例え停電して室内が真っ暗になったとしても、明るく照らされた机下領域９に向かって安全且つ迅速に避難することができ且つ明かりがあることで心理的な恐怖や不安も軽減される。
【００２３】
そして、もし建物が崩れて防災机１が瓦礫に埋まり、机下領域９に避難していた者が閉じ込められた場合には、脚３ｓ，３ｓの蓋体１３を外して中から防災用品２４を取りだし、飲料水や非常食で体力を維持しつつ笛を吹くなどして救助を待てば、救助される確率が格段に向上する。また、前記バッテリー８に余力がある場合には、携帯電話等に電気を供給して外部との通信手段を確保することもできる。
【００２４】
なお、防災用品２４に防火頭巾を含み且つ災害センサーとして火災センサーを組み合わせる（建物内に設置された火災センサーと無線で接続する等）ようにすれば、火災発生時に室内が暗くとも、明るく照らされた防災机１から防火頭巾を取り出して安全に避難することができる。
このように、複数種の災害に対して防災机１が対応できるようにしておけば、「災害時には防災机」の観念が定着するため、緊急時でも防災机１を中心にして慌てることなく避難や待避をすることができる。
【００２５】
以上、本発明を実施の形態について説明したが、もちろん本発明は上記実施形態に限定されるものではない。例えば、実施形態では脚３ｓの蓋体１３を木製の板で形成したが、図７に示したように蓋体１３を革や樹脂製のシートにしてファスナー２７で開閉し得るようにしてもよい。また、実施形態では蓋体１３を着脱式に形成したが、例えば蓋体１３の上辺を脚フレーム１１の上方に蝶番で取り付けて煽り窓方式に開閉し得るようにしてもよい。なお、地震の揺れや家具の重み等で脚フレーム１１が歪んで蓋体１３が開かない、という事態に備えて、蓋体１３に素手での破壊を容易にする脆弱構造部（例えば、破断しやすくするために蓋体１３を横断又は縦断する溝や切込線を設けておく。）を設けるとよい。
【００２６】
また、実施形態では、脚３ｓの床連結部１５をＬ字形の金具で形成してネジ止めするようにしたが、下の横材１７にネジ孔を開設して直に床１４に木ネジを通すようにしてもよい。
また、実施形態では、防災机１としてダイニングテーブルを例示したが、勉強用の学習机や、事務を行う事務机或はレストラン等で使用する店舗用の机に適用してもよい。
【００２７】
また、実施形態では災害センサーを自己の照明手段１０内に組み込んで災害の発生を検知するようにしたが、当該災害センサーを建物のどこかに設けてその信号を無線又は有線で受信したり、公的機関等から発せられる警報等を受信して災害の発生を検知するようにしてもよい。
【００２８】
また、実施形態では光電池７を天板２の上面に設けるようにしたが、天板２の周側面に設けたり（この周側面の一辺又は複数辺に光電池７を設ける手段は、天板２の上面に光電池７を設ける場合に比べて、天板２の上面が広く使えると共に光電池７の表面が汁物等で汚れるリスクが少ない点で有利である。）、脚３ｓの側面であって建物室内に向かう部位に設けるようにしてもよい。
【符号の説明】
【００２９】
１  …防災机
２  …天板
３ｓ，３ｓ  …脚
４  …握り部
７  …光電池
８  …バッテリー
９  …机下領域
１０  …照明手段
１１  …脚フレーム
１２  …外板
１３  …蓋体
１４  …床
１５  …床連結部
１６  …縦材
１７  …横材
２３  …内部空間
２４  …防災用品
【図１】
2017119044.tif 000003
【図２】
2017119044.tif 000004
【図３】
2017119044.tif 000005
【図４】
2017119044.tif 000006
【図５】
2017119044.tif 000007
【図６】
2017119044.tif 000008
【図７】
2017119044.tif 000009